(57)【要約】【課題】放送中映像の視聴を中断せざるを得なくする視聴中断要因が複数あっても、放送中映像を見逃すことがないようにした携帯端末装置を提供する。【解決手段】携帯端末装置１は、映像データを用いた放送中映像が表示手段に表示されているときに放送中映像の視聴中断要因の発生および終了を検知する中断要因検知手段と、中断要因検知手段によって視聴中断要因の発生が検知されたときに、映像データ記録再生手段が映像データを記録するように制御する記録制御手段と、中断要因検知手段によって視聴中断要因の終了が検知されたときに、映像データ記録再生手段により読み取った再生映像データを用いた再生映像が表示手段に表示されるように制御する再生制御手段とを有する。【選択図】図１
2008085848.tif 000002
【特許請求の範囲】
【請求項１】
映像を表示する表示手段と、無線通信を行う無線通信手段と、放送波を受信する受信手段と、該受信手段が前記放送波を受信することによって得られる映像データを読み書きする映像データ記録再生手段と、前記映像データを用いて前記表示手段に映像を表示させる表示制御手段とを備えた携帯端末装置であって、
前記映像データを用いた放送中映像が前記表示手段に表示されているときに前記放送中映像の視聴中断要因の発生および終了を検知する中断要因検知手段と、
該中断要因検知手段によって前記視聴中断要因の発生が検知されたときに、前記映像データ記録再生手段が前記映像データを記録するように制御する記録制御手段と、
前記中断要因検知手段によって前記視聴中断要因の終了が検知されたときに、前記映像データ記録再生手段により読み取った再生映像データを用いた再生映像が前記表示手段に表示されるように制御する再生制御手段とを有することを特徴とする携帯端末装置。
【請求項２】
前記表示手段が組み込まれ、かつ開閉自在な蓋部を更に有し、
前記中断要因検知手段は、前記蓋部の閉鎖を前記視聴中断要因の発生として検知し、前記蓋部の開放を前記視聴中断要因の終了として検知するように構成されていることを特徴とする請求項１記載の携帯端末装置。
【請求項３】
前記中断要因検知手段は、前記無線通信手段を用いた無線通話の着信を前記視聴中断要因の発生として検知し、前記無線通話の終了を前記視聴中断要因の終了として検知するように構成されていることを特徴とする請求項１または２記載の携帯端末装置。
【請求項４】
前記中断要因検知手段は、前記無線通信手段を用いた無線通話の発信を前記視聴中断要因の発生として検知し、前記無線通話の終了を前記視聴中断要因の終了として検知するように構成されていることを特徴とする請求項１または２記載の携帯端末装置。
【請求項５】
前記中断要因検知手段は、前記無線通信手段を用いた電子メールの着信を前記視聴中断要因の発生として検知し、前記表示手段における前記電子メールの表示終了を前記視聴中断要因の終了として検知するように構成されていることを特徴とする請求項１または２記載の携帯端末装置。
【請求項６】
前記無線通信手段を用いた電子メールを生成するメール生成手段を更に有し、
前記中断要因検知手段は、前記メール生成手段による前記電子メールの生成開始を前記視聴中断要因の発生として検知し、前記メール生成手段による前記電子メールの生成終了を前記視聴中断要因の終了として検知するように構成されていることを特徴とする請求項１または２記載の携帯端末装置。
【請求項７】
前記中断要因検知手段は、前記表示手段におけるメニュー操作映像の表示開始を前記視聴中断要因の発生として検知し、前記メニュー操作映像の表示終了を前記視聴中断要因の終了として検知するように構成されていることを特徴とする請求項１または２記載の携帯端末装置。
【請求項８】
前記表示制御手段は、前記中断要因検知手段によって前記視聴中断要因の発生が検知されたときに、前記映像データが前記映像データ記録手段に記録中であることを示す記録中映像を前記表示手段に表示させるように構成されていることを特徴とする請求項１〜７のいずれか一項記載の携帯端末装置。
【発明の詳細な説明】
【技術分野】
【０００１】
本発明は、無線通信手段に加えてテレビジョン放送の受信手段と映像の記録再生手段を備えた携帯端末装置に関する。
【背景技術】
【０００２】
従来、無線通信手段を備えた携帯端末装置（携帯電話機）が広く普及している。近年、携帯端末装置は、テレビジョン放送の受信手段（チューナ）を備えることにより、音声の通話とともに、テレビジョン放送の放送波を受信して得られる映像や音声の視聴が行えるものもすでに知られるところとなっている。
【０００３】
従来、無線通信手段と、テレビジョン放送の受信手段とを備えた携帯可能な装置に関して、例えば、特許文献１には、放送コンテンツの再生中に着信があったときに放送コンテンツを録画し、通話終了後にその録画した放送コンテンツを再生するようにした携帯用放送受信装置が開示されている。
【特許文献１】特開２００４−１８６７１６号公報
【発明の開示】
【発明が解決しようとする課題】
【０００４】
上記従来技術によれば、放送コンテンツの再生中に着信があっても、録画した放送コンテンツが通話終了後に再生されるので、通話中に放送されていた映像を見逃さずに済むようになる。
【０００５】
しかし、近年の携帯端末装置は、液晶表示装置が組み込まれた蓋部と、操作ボタンが組み込まれた本体部とが二つ折りに折りたためるいわゆる折り畳み式とよばれる構造を備えたものが多く、この種の携帯端末装置では、放送中の映像を表示している最中にその放送中映像の視聴を中断せざるを得なくする要因（視聴中断要因という）が生じやすかった。例えば、ユーザが携帯端末装置を持ち歩いているときに電車やバスに乗り込むために蓋部を閉じなければならなかったり、また、車内で映像視聴中に他の乗客が大勢乗り込んできて蓋部を閉じなければならなかったり、通話の着信や発信があったり、電子メールの送受信があったりといった具合である。つまり、従来の携帯端末装置には、携帯可能なことによって放送中映像の視聴を中断せざるを得ない複数の要因があるため、映像を見逃す機会が多かった。
【０００６】
そこで、本発明は上記課題を解決するためになされたもので、放送中映像の視聴を中断せざるを得なくする視聴中断要因が複数あっても、放送中映像を見逃すことがないようにした携帯端末装置を提供することを目的とする。
【課題を解決するための手段】
【０００７】
上記課題を解決するため、本発明は、映像を表示する表示手段と、無線通信を行う無線通信手段と、放送波を受信する受信手段と、その受信手段が放送波を受信することによって得られる映像データを読み書きする映像データ記録再生手段と、映像データを用いて表示手段に映像を表示させる表示制御手段とを備えた携帯端末装置であって、映像データを用いた放送中映像が表示手段に表示されているときに放送中映像の視聴中断要因の発生および終了を検知する中断要因検知手段と、その中断要因検知手段によって視聴中断要因の発生が検知されたときに、映像データ記録再生手段が映像データを記録するように制御する記録制御手段と、中断要因検知手段によって視聴中断要因の終了が検知されたときに、映像データ記録再生手段により読み取った再生映像データを用いた再生映像が表示手段に表示されるように制御する再生制御手段とを有する携帯端末装置を特徴とする。
【発明の効果】
【０００８】
以上詳述したように、本発明によれば、視聴中断要因が複数あっても、放送中映像を見逃すことがないようにした携帯端末装置が得られる。
【発明を実施するための最良の形態】
【０００９】
以下、本発明の実施の形態について説明する。なお、同一要素には同一符号を用い、重複する説明は省略する。
【００１０】
図１は、本発明の実施の形態に係る携帯端末装置１の内部構成を示すブロック図、図２は携帯端末装置１の外部構成を示す正面図である。図２に示すように、携帯端末装置１は後述する画像表示部１０が組み込まれた蓋部１ａ、本体部１ｂおよびアンテナ１２を有し、図示しないヒンジ構造によって蓋部１ａが本体部１ｂに対して開閉自在とされ、携帯可能な大きさで構成されている。
【００１１】
携帯端末装置１は蓋部１ａを開放した状態で無線通信による通話が行え、また、画像表示部１０への映像表示によって映像が視聴可能になる。本体部１ｂにはテンキー、発信キー、着信キーといった複数の操作ボタン１ｃが備えられ、内部には、図１に示した各構成要素が組み込まれている。
【００１２】
そして、図１に示すように、携帯端末装置１はデジタルチューナ部２と、選局部３と、ビデオソース選択部４、記録データ転送制御部５と、記録再生部６とを有している。また、携帯端末装置１はデコード部７と、表示制御部８と、表示用メモリ９と、画像表示部１０を有し、さらに携帯電話機能部１１を有している。
【００１３】
デジタルチューナ部２は、アンテナ１２が受け取った放送波から得られる放送信号を増幅して出力する。選局部３は、デジタルチューナ部２から出力される放送信号について選局処理を行い、復調等を行ってＴＳストリームデータＡをビデオソース選択部４に出力する。これらデジタルチューナ部２と選局部３とによって受信手段が構成されている。
【００１４】
ビデオソース選択部４は、携帯電話機能部１１から出力される後述する記録ビデオソース選択信号Ｇに基づいて、選局部３から出力されるトランスポートストリームデータ（ＴＳデータ）Ａと記録データ転送制御部５から出力される再生ＴＳデータＢのいずれか一方を選択してデコード部７に出力する。
【００１５】
記録データ転送制御部５は、後述する割込信号Ｈに基づきＴＳデータＡの取込みを開始または終了する一方、取り込まれたＴＳデータＡ´の記録再生部６における記録および読み取りを制御し、また、記録再生部６の読み取りによって得られる再生ＴＳデータＢ（再生映像データ）の転送を制御する。
【００１６】
記録再生部６は、ＨＤＤ（Ｈａｒｄ  Ｄｉｓｋ  Ｄｒｉｖｅ）であって、そのＨＤＤにＴＳデータＡ´を記録する一方、ＨＤＤに記録されているＴＳデータＡ´を読み取って再生ＴＳデータＢを出力する映像データ記録再生手段としての機能を有している。
【００１７】
デコード部７はビデオソース選択部４から出力されるＴＳデータＣを復号化して復号化された映像データ（復号化データ）Ｄを出力する。
【００１８】
表示制御部８は携帯電話機能部１１から出力される後述する表示画像選択信号Ｉに基づいて、デコード部７から出力される復号化データＤまたは携帯電話機能部１１から出力される後述する表示データＥに、画像表示部１０に表示するための所定の信号処理（例えば、ＯＳＤ処理など）を行いアナログ映像データＦに変換する。また、表示制御部８はアナログ映像データＦを画像表示部１０に出力して画像表示部１０に映像が表示されるように制御する。
【００１９】
画像表示部１０は映像を表示する表示手段としての液晶表示装置を有し、表示制御部８から出力されるアナログ映像データＦを用いて液晶表示装置に映像を表示する。表示用メモリ部９には、表示制御部８が処理を実行するときのワークメモリとして使用される。
【００２０】
携帯電話機能部１１は、図３に示すように、通信制御部１１ａと、無線通信部１１ｂと、音声通話部１１ｃとを有し、さらに、電子メール生成部１１ｄとコントローラ１１ｅを有し、携帯電話機としての機能を発揮させるための構成を有している。
【００２１】
通信制御部１１ａは、無線通信の基地局との通信を行うための回線の接続および切断を制御する。無線通信部１１ｂは、通信制御部１１ａの制御にしたがい、無線によるデータの送受信を実行する無線通信手段である。
【００２２】
無線通信部１１ｂは、基地局に送信すべき情報を移動体通信網で扱われる信号に変換した後、電波に重畳して送信する一方、基地局から電波を受信し、その受信した電波に重畳されている信号から情報を取り出す。
【００２３】
音声通話部１１ｃは無線通信部１１ｂから出力されるデータを用いて図示しないスピーカから音声Ｊを出力させ、また、図示しないマイクから入力される音声Ｋをデータに変換して無線通信部１１ｂに出力する。
【００２４】
電子メール生成部１１ｄは操作ボタン１ｃの入力操作に応じて送信すべき電子メールを生成し、生成した電子メールのデータ（メールデータ）を無線通信部１１ｂに出力する。コントローラ１１ｅは、携帯電話機能部１１を構成する各構成要素の動作を制御する。また、コントローラ１１ｅは、視聴中断要因の発生および終了を検知する中断要因検知手段としての機能を有し、検知結果に基づいて、ビデオソース選択信号Ｇ、割込信号Ｈ、表示画像選択信号Ｉを出力し、さらに、表示データＥ、メール表示データＬを出力する。
【００２５】
次に、本発明の実施の形態に係る携帯端末装置１の動作内容について、図４，５を参照して説明する。図４は視聴中断要因の発生に伴いＴＳデータＡ´を記録する録画が行われるときの携帯端末装置１の動作項目を時系列で表示した図、図５は視聴中断要因の終了に伴い読み取られた再生ＴＳデータＢを用いた映像表示（後述するタイムシフト再生）が行われるときの携帯端末装置１の動作項目を時系列で表示した図である。
【００２６】
まず、図４に示すように、携帯端末装置１では、Ｓ１に示すように、時刻ｔ０からビデオソース選択部４がＴＳデータＣの入力ソースを選局部３からのＴＳデータＡとする選択を行っており、これによって、番組が放送されている最中の映像（放送中映像）が画像表示部１０に表示されている（ライブ放送受信中である）。
【００２７】
その状態でＳ２に示すように、時刻ｔ１で画像表示部１０による映像表示に割り込む格好でユーザが視聴を中断せざるを得ない要因（視聴中断要因）が発生し、携帯電話機能部１１から割込信号Ｈが出力されたとする。本実施の形態における視聴中断要因とは、携帯端末装置１が携帯可能な構成を有することに起因する複数の要因が想定され、また、携帯電話機能部１１によって検知されるようになっている。
【００２８】
まず、一例として蓋部１ａの閉鎖が行われた場合について説明する。この場合、例えば、ユーザが携帯端末装置１を携帯しながら電車に乗っており、蓋部１ａを開放して放送中映像を視聴していたところ、客が車内に大勢乗り込んできたために蓋部１ａを閉鎖せざるを得なくなった場合が考えられる。
【００２９】
そして、蓋部１ａの閉鎖が時刻ｔ１で行われたとすると、Ｓ２に示すように、携帯電話機能部１１のコントローラ１１ｅが中断要因検知手段として作動してその蓋部１ａの閉鎖を視聴中断要因の発生として検知し、視聴中断要因の発生を示す割込信号Ｈを出力する。
【００３０】
このとき、Ｓ３に示すように、時刻ｔ２で携帯電話機能部１１は表示画像選択信号Ｉを切り替え、また、Ｓ４に示すように、携帯電話機能部１１から出力される割込信号Ｈを受けて記録データ転送制御部５が記録再生制御手段として作動し、ＴＳデータＡ´の取込みを開始し、記録再生部６に指示して取り込まれたＴＳデータＡ´の記録を開始させる。
【００３１】
続いて、Ｓ５に示すように、時刻ｔ３で表示画像選択信号Ｉにより、表示制御部８が映像データＦの入力ソースを復号化データＤから表示データＥに切り替える。これにより、Ｓ６に示すように、時刻ｔ４で表示制御部８が表示データＥに基づく映像データＦを画像表示部１０に出力する。すると、画像表示部１０には、記録再生部６にＴＳデータＡ´が記録中であることを示す記録中映像（例えば、「ただいま録画中」との文字を示す映像）が表示されることとなる。一方、Ｓ７に示すように、時刻ｔ３以降、記録再生部６は取り込まれたＴＳデータＡ´の記録を続行している。
【００３２】
次に、図５に示すように、携帯端末装置１では、Ｓ１０に示すように、時刻ｔ１０以降、発生した視聴中断要因に応じた処理（視聴割込処理といい、例えば上記の蓋部１ａの閉鎖状態中における表示データＥの出力処理）を携帯電話機能部１１が実行中であったところ、Ｓ１１に示すように、閉鎖されていた蓋部１ａが時刻ｔ１１で開放され、視聴中断要因が終了したとする。
【００３３】
すると、コントローラ１１ｅが中断要因検知手段として作動してその蓋部１ａの開放を視聴中断要因の終了として検知し、視聴中断要因の終了を示す割込信号Ｈを出力する。続いて、記録データ転送制御部５がその割込信号Ｈを受けて記録再生部６に指示し、取り込まれたＴＳデータＡ´の読み取りを行わせ、得られた再生ＴＳデータＢのビデオソース選択部４への転送を開始する。また、携帯電話機能部１１のコントローラ１１ｅは、再生ＴＳデータＢを選択するように指示するビデオソース選択信号Ｇをビデオソース選択部４に出力する。
【００３４】
続いて、Ｓ１２に示すように、コントローラ１１ｅは時刻ｔ１２で表示画像選択信号Ｉを切り替え、また、Ｓ１３に示すように、ビデオソース選択部４がビデオソース選択信号Ｇに基づきＴＳデータＣの入力ソースをＴＳデータＡから再生ＴＳデータＢに切り替える。なお、Ｓ１４に示すように、時刻ｔ１２以降、記録データ転送制御部５は記録再生部６が読み取って得られる再生ＴＳデータＢの転送を続行している。
【００３５】
そして、Ｓ１５に示すように、時刻ｔ１３で表示制御部８が表示画像選択信号Ｉにより、映像データＦの入力ソースを表示データＥから復号化データＤに変更し、Ｓ１６に示すように、ビデオソース選択部４が入力ソースとして再生ＴＳデータＢを選択し、ＴＳデータＣを出力する。
【００３６】
さらに、Ｓ１７に示すように、時刻ｔ１４で表示制御部８が復号化データＤを入力ソースとして映像データＦの出力を開始する。これにより、画像表示部１０には、再生ＴＳデータＢを用いて復号化された復号化データＤを入力ソースとする映像データＦに基づく再生映像が表示されることとなる。
【００３７】
以上のようにすることにより、携帯端末装置１では、視聴中断要因が発生して放送中映像の視聴を中断せざるを得ない状況になっても、その視聴中断要因の発生に伴う視聴割込処理中に視聴できるはずであった放送中映像は、記録再生部６が読み取った再生ＴＳデータＢを用いた再生映像として表示される。そのため、ユーザは聴割込処理中に視聴できるはずであった放送中映像を見逃さずに済むようになる。この点について図６を参照して説明する。
【００３８】
図６に示すように、時刻ｔ０から放送中映像２１が画像表示部１０に表示されて放送中映像２１の視聴が行われていたところ、時刻ｔ１で視聴中断要因が発生して視聴割込処理が開始された。また、その視聴割込処理は時刻ｔ１１で終了しているので、上記のようにして処理しない場合には、時刻ｔ１から時刻ｔ１１までの間に放送されている番組の映像（割込中映像）２１ｂは見逃さざるを得ず、放送中映像２１のうちの放送中映像２１ａ，２１ｃしか視聴できないこととなる。
【００３９】
ところが、携帯端末装置１は、上記のようにして作動し、時刻ｔ１以降の放送中映像２１を表示するためのＴＳデータＡ´を記録再生部６に記録している。そのため、携帯端末装置１は、視聴割込処理が終了した後の時刻ｔ１１以降、ＴＳデータＡ´を記録再生部６から読み取って得られる再生ＴＳデータＢを用いた再生映像２２を表示させることができる。
【００４０】
再生映像２２のうち、割込中映像２１ｂに対応した映像は再生映像２２ａ，放送中映像２１ｃに対応した映像は再生映像２２ｂとなる。この場合、放送中映像２２の視聴終了時刻が視聴割込処理の実行されていた期間Ｔだけ後にずれる（時刻ｔ１５から時刻ｔ１６にずれる）ことになるが、時刻ｔ１から時刻ｔ１１までの間に放送されている番組の映像（割込中映像）２１ｂは見逃さずに済むようになる。
【００４１】
このように、携帯端末装置１は視聴中断要因が発生すると、それに伴う視聴割込処理の実行期間だけ時刻を遅延（シフト）させた映像の再生（以下この映像の再生を「タイムシフト再生」といい、追っかけ再生ともいう）が行われる。
【００４２】
携帯端末装置１は上記の視聴中断要因を含む複数の視聴中断要因の発生に対応してタイムシフト再生が行なわれる。上記の他にも無線通話の着信を視聴中断要因の発生として検知し、無線通話の終了を視聴中断要因の終了として検知することができる。この場合、携帯電話機能部１１では、コントローラ１１ｅが無線通信部１１ｂからの入力信号によって、無線通話の着信の発生および通話の終了を検知することができる。
【００４３】
また、携帯端末装置１は無線通話の発信を視聴中断要因の発生として検知し、無線通話の終了を視聴中断要因の終了として検知することもできる。この場合、携帯電話機能部１１では、コントローラ１１ｅが無線通信部１１ｂからの入力信号によって、無線通話の発信の発生および通話の終了を検知することができる。
【００４４】
さらに、携帯端末装置１は電子メールの着信を視聴中断要因の発生として検知し、電子メールの表示終了を視聴中断要因の終了として検知することもできる。この場合、携帯電話機能部１１では、コントローラ１１ｅが無線通信部１１ｂからの入力信号によって電子メールの着信の発生を検知し、操作ボタン１ｃからの入力信号によって、電子メールの表示終了を検知することができる。なお、この場合の視聴中断要因の発生から終了までの間、携帯電話機能部１１から表示データＥの代わりにメール表示データＬが出力されて受信した電子メールが画像表示部１０に表示される。
【００４５】
そしてさらに、携帯端末装置１は電子メールの生成開始を視聴中断要因の発生を検知し、電子メールの生成終了を発生した視聴中断要因の終了として検知することもできる。電子メールの生成は電子メール生成部１１ｄによって行われるので、携帯電話機能部１１では、コントローラ１１ｅが電子メール生成部１１ｄからの入力信号によって電子メールの生成開始と終了を検知することができる。なお、この場合の視聴中断要因の発生から終了までの間、携帯電話機能部１１から表示データＥの代わりにメール表示データＬが出力されて送信しようとする電子メールが画像表示部１０に表示される。
【００４６】
そのほか、画像表示部１０におけるメニュー操作画像の表示開始を視聴中断要因の発生として検知し、メニュー操作画像の表示終了を発生した視聴中断要因の終了として検知することもできる。メニュー操作画像の表示は操作ボタン１ｃの入力操作によって行われるので、携帯電話機能部１１では、コントローラ１１ｅが操作ボタン１ｃからの入力信号によってメニュー操作画像の表示開始と終了を検知することができる。
【００４７】
そして、携帯端末装置１は携帯可能なために上記複数の視聴中断要因の発生および終了が入れ替わり立ち代り起こる可能性があるが（例えば、蓋部１ａの閉鎖開放に続いて電子メールの受信があるなど）、ＴＳデータの記録およびタイムシフト再生は各視聴中断要因の発生および終了の検知に連動している。そのため、視聴中断要因の発生および終了のたびにＴＳデータの記録およびタイムシフト再生が行われる。したがって、携帯端末装置１は視聴中断要因の発生および終了が入れ替わり立ち代り次々と起こることがあっても、ユーザはその都度、ＴＳデータの記録およびシフト再生のために特別の操作を要しないで済むため、携帯端末装置１はその分、利便性が高くなっている。
【００４８】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４９】
【図１】本発明の実施の形態に係る携帯端末装置１の内部構成を示すブロック図である。
【図２】携帯端末装置の外部構成を示す正面図である。
【図３】携帯電話機能部の内部構成を示すブロック図である。
【図４】視聴中断要因の発生に伴い録画が行われるときの携帯端末装置の動作項目を時系列で表示した図である。
【図５】視聴中断要因の終了に伴い再生された映像データを用いた映像表示が行われるときの携帯端末装置の動作項目を時系列で表示した図である。
【図６】タイムシフト再生が行われるときと行われないときの違いを示す図である。
【符号の説明】
【００５０】
１…携帯端末装置、１ａ…蓋部、３…選局部、４…操作入力部
６…記録部、８…表示制御部、１０…画像表示部
１１…携帯電話機能部、１１ｂ…無線通信部
１１ｄ…電子メール生成部、１１ｅ…コントローラ
【図１】
2008085848.tif 000003
【図２】
2008085848.tif 000004
【図３】
2008085848.tif 000005
【図４】
2008085848.tif 000006
【図５】
2008085848.tif 000007
【図６】
2008085848.tif 000008